【手続補正書】
【提出日】平成26年3月5日(2014.3.5)
【手続補正１】
【補正対象書類名】特許請求の範囲
【補正対象項目名】全文
【補正方法】変更
【補正の内容】
【特許請求の範囲】
【請求項１】
脛骨プラトーを形成するためのプレートを備え、前記プレートの周縁領域は３ｍｍより小さな、好ましくは１．００〜２．５ｍｍの間の厚さを有することを特徴とする、部分的又は単顆ベアリング膝関節置換のための人工脛骨コンポーネント。
【請求項２】
前記プレートは前後方向に所定の長さを備え、前記長さと前記周縁領域の厚さとの割合は、２０．２５±１の範囲であることを特徴とする、請求項１に記載の人工脛骨コンポーネント。
【請求項３】
前記プレートから突出するキールを備え、前記キールは使用の際に脛骨の中へと延出するように設けられ、９．００ｍｍよりも小さな深さを有することを特徴とする、請求項１または２に記載の人工脛骨コンポーネント。
【請求項４】
前記プレートは前後方向に所定の長さを備え、前記長さの前記キールの深さに対する割合は６．７５±１であることを特徴とする、請求項３に記載の人工脛骨コンポーネント。
【請求項５】
３ｍｍよりも小さな厚みを有するプレートの前記周縁領域は、脛骨の端部と実質的に一直線上に配置されるよう設けられた端部を有する周縁領域であることを特徴とする、請求項１〜４のいずれか１項に記載の人工脛骨コンポーネント。
【請求項６】
前記プレートの面積の大部分は、３ｍｍよりも小さな厚さを有し、好ましくは前記プレートのプラトーの大部分が１．００〜２．５ｍｍの間の厚さを有することを特徴とする、請求項１〜５のいずれか１項に記載の人工脛骨コンポーネント。
【請求項７】
前記周縁領域の厚さは１．５ｍｍ〜１．９ｍｍの範囲であることを特徴とする、請求項１〜６のいずれか１項に記載の人工脛骨コンポーネント。
【請求項８】
前記プレートから延出するキールを有し、前記キールの前後の端部は、少なくとも２．０、任意的／近似的には３．５ｍｍ〜４．５ｍｍの間、あるいはそれより大きな曲率半径で湾曲していることを特徴とする、請求項１〜６のいずれか１項に記載の人工脛骨。
【請求項９】
前記キールからウェブが延出し、前記キールが前記プレートに対して固定されていることを特徴とする、請求項３、または請求項３に直接的あるいは間接的に従属する請求項４〜８のいずれか１項に記載の人工脛骨コンポーネント。
【請求項１０】
前記プレートの寸法は、患者の特性、例えば患者の身長、および／あるいはＢＭＩ、および／あるいは脛骨プラトーのサイズ、と比例関係を有するように設定されていることを特徴とする、請求項１〜９のいずれか１項に記載の人工脛骨コンポーネント。
【請求項１１】
前記プレートの寸法は、前後の長さ、周縁の厚さ、キールの深さ（キールがある場合）、およびキールの厚さ（キールがある場合）のうちの１つあるいはそれより多いことを特徴とする、請求項１０に記載の人工脛骨コンポーネント。
【請求項１２】
人工脛骨コンポーネントが埋入される個人の、少なくとも１つの身体的な特性を決定するステップと、前記特性に基づいて、人工脛骨コンポーネントのプレートの厚さを選択するステップと、選択された厚さを有するプレートを備える人工脛骨コンポーネントを提供するステップとを備える、人工脛骨コンポーネントの選択方法。
【請求項１３】
人工脛骨コンポーネントが埋入される個人の、少なくとも１つの身体的な特性を決定するステップと、前記特性に基づいて、人工脛骨コンポーネントのキールの深さを選択するステップと、選択された深さのキールを有するプレートを備える人工脛骨コンポーネントを提供するステップとを備える、キールを有する人工脛骨コンポーネントの選択方法。
【請求項１４】
前記身体的な特性は、前記個人の身長、前記個人の体重、脛骨の外側あるいは内側顆のサイズ、脛骨の長さ、および大腿骨の長さのいずれか１つあるいはそれより多くの身体的な特性であることを特徴とする、請求項１２または１３に記載の方法。
【請求項１５】
前記身体的な特性は、プレートのキールのキール深さを選択するのにも用いられることを特徴とする請求項１２に記載の方法。
【請求項１６】
前記身体的な特性は、選択された厚さを有するプレートを備えるコンポーネントを選択するのにも用いられることを特徴とする請求項１３に記載の方法。
【請求項１７】
部分的又は単顆ベアリング膝関節置換を行うために、個人に人工脛骨コンポーネントを埋入する方法であって、人工脛骨コンポーネントが埋入される個人の身体的な特性を、人工脛骨コンポーネントのプレートの厚さを選択するのに用いるステップと、選択された厚さを有するプレートを備える人工脛骨コンポーネントを、前記個人に埋入するステップとを備えることを特徴とする方法。
【請求項１８】
部分的又は単顆ベアリング膝関節置換を行うための複数の人工脛骨コンポーネントを備え、各人工脛骨コンポーネントは、脛骨プラトーを形成するためのプレートを備え、前記複数の人工コンポーネントは、それぞれ異なる厚さのプレートを有することを特徴とするキット。
【請求項１９】
前記キットの各プレートは、前後方向に個別の長さを備えており、前記キットの各プレートの厚さは、プレートの長さとプレートの厚さとが実質的に比例する範囲で、各プレートの長さに比例することを特徴とする、請求項１８に記載のキット。
【請求項２０】
各プレートの長さの厚さに対する割合は、所定の範囲内であることを特徴とする、請求項１９に記載のキット。
【請求項２１】
各プレートの長さの厚さに対する割合は、２０．２５±１であることを特徴とする、請求項２０に記載のキット。
【請求項２２】
インプラントのサイズの違いよりも、プレートの厚さの違いは少なく、任意にはプレートの厚さの違いは２種類あるいは３種類のみであることを特徴とする、請求項１８に記載のキット。
【請求項２３】
インプラントのサイズにはサイズＡ〜Ｆまであり、サイズＡ〜ＢあるいはＣあるいはＤは、より小さい同一の厚さのプレートを有し、サイズＣあるいはＤあるいはＥ〜Ｆは、より大きな厚さのプレートを有することを特徴とする、請求項２２に記載のキット。
【請求項２４】
厚いプレートの厚さは３．０ｍｍ（±０．３ｍｍ、あるいは０．２ｍｍ、あるいは０．１ｍｍ）、および薄いプレートの厚さは２．０ｍｍあるいは２．２５ｍｍ（±０．５ｍｍ、あるいは０．４ｍｍ、あるいは０．３ｍｍ、あるいは０．２ｍｍ、あるいは０．１ｍｍ）であることを特徴とする、請求項２２あるは請求項２３に記載のキット。
【請求項２５】
前記人工コンポーネントはそれぞれキールを備え、前記複数の人工コンポーネントの少なくとも１つは、異なった深さのキールを有することを特徴とする、請求項１８〜２４のいずれか１項に記載のキット。
【請求項２６】
部分的又は単顆ベアリング膝関節置換のための複数の人工脛骨コンポーネントを備え、各人工脛骨コンポーネントは、脛骨プラトーを形成するためのプレートと、前記プレートから延出するキールとを備え、前記複数の人工コンポーネントは、異なった深さのキールを有することを特徴とするキット。
【請求項２７】
前記キットの各プレートは、前後方向に個別の長さを備え、前記キットの各プレートのキールの深さは、プレートの長さとキールの深さとが実質的に比例する範囲で、各プレートの長さに比例することを特徴とする、請求項２６に記載のキット。
【請求項２８】
各プレートの長さのキールの深さに対する割合は、所定の範囲内であることを特徴とする、請求項２７に記載のキット。
【請求項２９】
各プレートの長さのキールの深さに対する割合は、６．７５±１であることを特徴とする、請求項２８に記載のキット。
【請求項３０】
インプラントのサイズの違いよりも、キールの深さの違いは少なく、任意的にはキールの深さの違いは２種類あるいは３種類のみであることを特徴とする、請求項２６に記載のキット。
【請求項３１】
インプラントのサイズにはサイズＡ〜Ｆまであり、サイズＡ〜ＢあるいはＣあるいはＤは、同一の浅い深さのキールを有し、サイズＣあるいはＤあるいはＥ〜Ｆは、大きな深さのキールを有することを特徴とする、請求項３０に記載のキット。
【請求項３２】
深いキールの深さは９．０ｍｍ（±０．１ｍｍ、あるいは０．２ｍｍ）、および浅いキールの深さは６．７５ｍｍ（±０．１ｍｍ、あるいは０．２ｍｍ）であることを特徴とする、請求項３０あるいは請求項３１に記載のキット。
【請求項３３】
脛骨コンポーネントと、大腿骨コンポーネントと、半月板ベアリングとを有する、半月板の部分的又は単顆人工膝関節のための異なるサイズに形成された脛骨インプラントコンポーネント（あるいはインプラントコンポーネントの試作品）のセットであって、前記脛骨コンポーネントは、使用の際に前記半月板ベアリングの負荷に耐えるベアリング面と、前記ベアリング面から離れて使用の際に脛骨の中へと延出するキールとを有し、大きなサイズの脛骨コンポーネントのキールの深さは、小さなサイズの脛骨コンポーネントのキールの深さよりも深いことを特徴とするセット。
【請求項３４】
脛骨コンポーネントのサイズの違いよりも、キールの深さの違いは少なく、任意的にはキールの深さの違いは２種類あるいは３種類のみであることを特徴とする、請求項３３に記載のセット。
【請求項３５】
少なくとも１つのキールの深さは、約６．７５ｍｍであることを特徴とする、請求項３３あるいは請求項３４に記載のセット。
【請求項３６】
脛骨プレートと、前記プレートから延出するキールとを備え、前記プレートから延出しているキールの深さは約（±０．１ｍｍ、あるいは０．２ｍｍ）８ｍｍあるいは７．５ｍｍあるいは７．００ｍｍあるいはそれよりも小さい、単顆ベアリング人工膝関節のための脛骨コンポーネント。
【請求項３７】
大腿骨コンポーネントと、可動型半月板ベアリングと、脛骨コンポーネントとを備え、前記脛骨コンポーネントは請求項１ないし１１あるいは請求項３６のいずれかに記載のものである、人工の単顆半月板ベアリング人工膝関節。
【請求項３８】
脛骨顆の薄片を切除するための位置決め治具を備え、前記治具は約２．２５ｍｍの顆部、あるいは好ましくは１．７５〜２．５ｍｍの顆部を特定して切除することが設定可能であることを特徴とする、単顆半月板ベアリング関節形成術を行うための手術ツールのセット。
【請求項３９】
使用可能な脛骨インプラントに設けられたキールの深さに適合する深さのキール穴を切除するように構成された、平行なブレードを有する複数のキール穴切除用のこぎりを更に備えることを特徴とする、請求項３８に記載のセット。